(57)【要約】【課題】シャッタ羽根の作動によって発生する磨耗粉やカメラ外から進入する埃などが、結像面に向けて飛来しにくいようにするとともに、そのような状態を好適に維持できるようにした構成のカメラ用フォーカルプレンシャッタを提供する。【解決手段】窪み１ｐに配置されている粘着シートＡＤは、２枚の粘着シートＡＤ１，ＡＤ２を重層した構成になっている。粘着シートＡＤ１は、基材ＡＤａとその両面に各々粘着材ＡＤｂを有していて、一方の粘着材ＡＤｂにより窪み１ｐの底部に貼付され、また他方の粘着材ＡＤｂにより上方の粘着シートＡＤ２を貼付している。また、粘着シートＡＤ２は、基材ＡＤａの上方側にのみ粘着材ＡＤｂを有している。そして、磨耗粉や埃などが粘着シートＡＤ２の粘着材ＡＤｂに付着して粘着力が低下した場合、粘着シートＡＤ２の非粘着部ＡＤｃを掴んで剥がすことにより、次の新しい粘着材が露出して粘着力が復活する。【選択図】  図８
2004163449.tif 000002
【特許請求の範囲】
【請求項１】
露光用の開口部を有している２枚の地板の間に羽根室を構成し該羽根室内にシャッタ羽根を配置していて、前記地板の少なくとも一方には、前記シャッタ羽根が作動上接触しない面に各々粘着性を有する複数の粘着シートが重層して設けられおり、前記地板自体の最も外側の前記粘着シートから順次剥がせるようにしたことを特徴とするカメラ用フォーカルプレンシャッタ。
【請求項２】
前記粘着シートは、各々粘着性の無い非粘着部を該粘着シートの周辺の少なくとも一部に設けていることを特徴とする請求項１に記載のカメラ用フォーカルプレンシャッタ。
【発明の詳細な説明】
【０００１】
【発明の属する技術分野】
本発明は、カメラ用フォーカルプレンシャッタに関する。
【０００２】
【従来の技術】
カメラ用のフォーカルプレンシャッタは、主に、シャッタ羽根を二つ（先羽根（郡）と後羽根（郡））を備えていて、それらを、シャッタ地板、中間板、補助地板と称されている３枚の板部材で形成した二つの羽根室内に別々に配置した構成をしている。そして、このタイプのシャッタは、フィルム使用のカメラにもデジタルカメラにも用いられており、撮影時には、二つのシャッタ羽根を所定の時間間隔で順に作動させ、それらによって形成されるスリットにより、長方形をした撮像面の一つの辺から対向する辺に向けて、連続的に露光するようにしている。（例えば、特許文献１参照）
【０００３】
また、デジタルカメラにのみ用いられているものには、シャッタ羽根を一つしか備えていないものがあるが、その場合には、上記の３枚の板部材のうち中間板を備えておらず、シャッタ地板と補助地板によって一つの羽根室を構成している。そして、このタイプのものには、撮影時にスリットを形成せずに所定時間撮像面を被写体光にさらしておくようにしたものがある。（例えば、特許文献２参照）
【０００４】
しかしながら、上記のいずれのタイプの場合でも、シャッタ羽根の構成は同じであって、一端をシャッタ地板に枢着された複数のアームに対し、短冊状をした１枚以上の羽根を枢支することによって、平行四辺形のリンク機構を応用した機構に構成されている。また、各アームと羽根との枢支構成は、アームと羽根とに形成された孔を重ね、それらの孔に、リベット部品である連結軸の先端をアーム側から挿入し、羽根にかしめている。そして、そのかしめ部は、羽根の形状によって羽根の摺動面から突き出ないようにされているが、連結軸の頭部は、シャッタ地板又は補助地板側となっていて、アームから突き出るようになっている。
【０００５】
そのため、シャッタ羽根と一体化された連結軸と、アームとは、相互に回転可能になっているが、各々１枚の羽根は、二つのアームに枢支されるため、アームが作動させられたときにだけ、枢支部における回転が行われるようになっている。そして、上記のかしめ部は、羽根の形状を工夫することによって、羽根側の面から突き出ないようになっているが、連結軸の頭部は、アームから突き出た状態になっている。そのため、各シャッタ羽根が作動するときには、特別な工夫を施していない限り、各連結軸の頭部が、地板と補助地板の羽根室側の面を摺動するようになっている。
【０００６】
【特許文献１】
特開２００１−２１９４２号公報（第３−９頁，図１−図１０）
【特許文献２】
特開２００１−４２３８６号公報（第３−６頁，図５−図６）
【０００７】
【発明が解決しようとする課題】
ところで、上記のような構成をしたシャッタ機構は、かなりの高速で作動しているため、そのときどきによって複雑な動きを伴いながら作動していたり、また、停止時には大きな衝撃力を受けて一時的に羽根などを変形させられたりするため、各部材間の摺動、当接等によって磨耗粉を発生させている。即ち、通常のシャッタ羽根は、上記のように、アームと羽根と連結軸との嵌合部では相対的に摺接関係となる。そして、停止時における衝撃力はこの嵌合部にも大きく作用する。
【０００８】
また、シャッタ羽根の作動中には、連結軸の頭部が地板の羽根室側の面を摺動する。そして、この作動中にシャッタ羽根は正規の作動方向へ作動するだけでなく複雑な作動をし、特に、停止時にはアームや羽根が変形させられるので、連結軸の頭部は、シャッタ地板面又は補助地板面に叩き付けられるような現象も生じる。更に、シャッタ羽根の作動中には、殆どの場合、スリット形成羽根の枢支部は、露光開口内を出入りするように構成されているため、露光開口から出るときには、連結軸の頭部がシャッタ地板又は補助地板の開口部の端面に当接したりする。
【０００９】
また、上記の特許文献にも示されているように、シャッタ地板の羽根室外の面には、シャッタ地板に取り付けられているシャッタ開閉駆動機構があり、そこには、シャッタ羽根を作動させる所定の角度だけ往復回転する駆動部材のほかにも各種の構成部材が沢山取り付けられているが、それらの部材は、セット作動時や露光作動時において回転などをする作動部材であったり、それらの作動部材と摺接する部材であったり、それらの作動部材によって当接される部材であったりするため、シャッタの作動の都度、それらの摺接や当接によって、磨耗粉が発生する。また、シャッタユニット以外のカメラ側構成部材（例えば、周知のミラー駆動機構）から発生した磨耗粉やレンズ交換の際に外部からカメラ内に進入してきた埃などもある。
【００１０】
そのため、撮像面の表面に付着する磨耗粉は、シャッタの作動に伴って羽根室内にあるシャッタ羽根の作動によって発生するものがあり、そのようなものとしては、上記の連結軸の頭部と地板の羽根室側の面との摩擦によって発生するものと、連結軸とアームとの摩擦によって発生するものがある。また、シャッタの作動に伴って羽根室外にあるシャッタ開閉駆動機構の作動によって発生するものもある。さらに、ミラーボックス内の可動ミラーの作動に伴って発生した磨耗粉や、レンズ交換の際にカメラの外部から進入してきた埃の場合もある。そして、このような磨耗粉や埃がフィルムやＣＣＤなどの表面に付着すると好適な撮影結果が得られなくなり、拡大して再現したときには、磨耗粉や埃が画像の一部に顕在化されてしまうことになる。
【００１１】
特に、デジタルカメラの場合には、撮像素子がカメラ内に固定されているため、磨耗粉や埃が、直接、撮像素子の入射面に付着したり、その前面に配置されてたローパスフィルタ等の光学フィルタの入射面に付着したりすると、それ以後の全ての撮影にその影響が現れ、しかも、それ以後に、他の磨耗粉や埃が、その上や周りに次々と蓄積して付着していくこともあって、極めて問題となる。
【００１２】
他方、フィルムを使用するカメラの場合には、そのようにして磨耗粉や埃がフィルムに付着しても、フィルムが撮影の都度に送られるので、そのコマだけのことで済むし、デジタルカメラの場合のように蓄積して付着するというようなことはあり得ない。そのため、従来は、このような磨耗粉や埃について余り問題にしていなかったが、最近では、デジタルカメラの場合で問題とされているために、たとえ影響が小さくでも、そのような現象の生じにくいフォーカルプレンシャッタを採用したいという要求が出るようになってきた。
【００１３】
本発明は、このような問題点を解決するためになされたものであり、その目的とするところは、シャッタ羽根の作動によって発生する磨耗粉やカメラ外から進入する埃などが、結像面に向けて飛来しにくいようにするとともに、そのような状態を好適に維持できるようにした構成のカメラ用フォーカルプレンシャッタを提供することである。
【００１４】
【課題を解決するための手段】
上記の目的を達成するために、本発明のカメラ用フォーカルプレンシャッタは、露光用の開口部を有している２枚の地板の間に羽根室を構成し該羽根室内にシャッタ羽根を配置していて、前記地板の少なくとも一方には、前記シャッタ羽根が作動上接触しない面に各々粘着性を有する複数の粘着シートが重層して設けられおり、前記地板自体の最も外側の前記粘着シートから順次剥がせるようにする。
【００１５】
その場合、本発明のカメラ用フォーカルプレンシャッタにおいては、  前記粘着シートは、各々粘着性の無い非粘着部を該粘着シートの周辺の少なくとも一部に設けるようにすると、粘着シートを剥がす場合に好適となる。
【００１６】
【発明の実施の形態】
本発明の実施の形態を、図１〜図８に示した実施例によって説明する。本実施例は、デジタルカメラ用のフォーカルプレンシャッタとして構成したものである。そして、図１は被写体側（撮影レンズ側）から見た実施例の透視図であって、露光作動開始直前の状態を示したものであり、図２は図１のＡ−Ａ線断面図である。また、図３は図１のＢ−Ｂ線断面図であって、先羽根及び後羽根については概略的に示したものである。図４及び図５は、図１に示されている主要な構成ブロックを個別に示した平面図である。また、図６は撮像素子側から視た実施例の平面図であって、後羽根は露光作動終了直後の状態で示してある。また、図７は、図１と同じようにして視た実施例の透視図であって、露光作動終了直後の状態を示したものである。更に、図８（ａ）は窪み１ｐに重層して配置した粘着シートを示した断面図であり、図８（ｂ）は図８（ａ）の状態から最も表面側の粘着シートを剥がしている途中の状態を示したものである。
【００１７】
先ず、本実施例の構成を説明するが、その説明に際しては、シャッタをカメラに組み付けた状態で、被写体側を表面側と称し、撮像素子側を背面側と称することにする。尚、予めことわっておくが、図面には、先羽根と後羽根を駆動するための各駆動部材や、撮影後それらの駆動部材をセットするためのセット部材や、各駆動部材の露光作動の開始を制御する各々の電磁石などが示されていない。それらは、本発明を理解するのに直接関係がないからであり、本実施例の場合には、それらについての周知の構成が適用される。
【００１８】
図４（ａ）に示されているシャッタ地板１は、図１において一番被写体側に配置されている。このシャッタ地板１は、合成樹脂製であって、略中央部には露光用の開口部１ａが形成されており、その左側の側方位置には三つの円弧状の長孔１ｂ，１ｃ，１ｄが形成されている。そして、長孔１ｂ，１ｃの上端部には、周知のようにして、平面形状が略Ｃ字状をしているブチルゴム製の緩衝部材２，３が取り付けられている。
【００１９】
シャッタ地板１には、軸１ｅ，１ｆ，１ｇ，１ｈ，１ｉ，１ｊ，１ｋ，１ｍが立設されている。それらのうち軸１ｅ，１ｆは、シャッタ地板１の表裏両面に立設されているが、軸１ｇは表面側にだけ立設され、軸１ｈ，１ｉ，１ｊ，１ｋ，１ｍは背面側にだけ立設されている。そのうち、軸１ｅ，１ｆは、表面側において、図示していない周知の先羽根用駆動部材と後羽根用駆動部材を回転可能に取り付け、背面側において、後述する先羽根と後羽根のアームを回転可能に取り付けている。そして、上記の各駆動部材に設けられている駆動ピンは、上記の長孔１ｂ，１ｃを貫通して背面側に突き出ており、露光作動の終了時には、上記の緩衝部材２，３に当接するようになっている。
【００２０】
軸１ｇには、図示していない周知のセット部材が回転可能に取り付けられていて、セット時には初期位置から回転して、上記の各駆動部材を夫々の駆動ばねの付勢力に抗してセット位置まで回転させ、初期位置へ復帰したときには、図示していないピンが上記の長孔１ｄの一端に当接して停止させられるようになっている。また、軸１ｈ，１ｉは、後述する先羽根、後羽根のアームを回転可能に取り付けるためのものであり、軸１ｊ，１ｋ，１ｍは、後述する中間板と補助地板を取り付けるためのものである。
【００２１】
シャッタ地板１の表面側には、開口部１ａを囲むようにして被写体側に突き出した長方形の枠体部１ｎが形成されており、その周囲には四つの浅い窪み１ｐ，１ｑ，１ｒ，１ｓが形成されている。また、シャッタ地板１の背面側には、開口部１ａの左側の縁に沿い上下方向に延伸して壁部１ｔが形成されているが、この壁部１ｔには、図３の断面図から分かるように、傾斜面１ｕが形成されている。また、その図３から分かるように、壁部１ｔの形成されている開口部１ａの縁と対向している縁にも傾斜面１ｖが形成されている。更に、シャッタ地板１の背面側には、図２に示したように、表面側に形成された窪み１ｐと対応する位置に同じ形状の窪み１ｗが形成され、表面側に形成された窪み１ｒと対応する位置に同じ形状の窪み１ｘが形成されている。
【００２２】
そして、このような形状をしたシャッタ地板１には、機能上及び取扱上で問題とならない面に粘着シートＡＤが貼付されている。即ち、図４（ａ）から分かるように、シャッタ地板１の表面側に形成された窪み１ｐ，１ｑ，１ｒ，１ｓの底面には、シャッタ駆動機構やカメラ側の部材等が接触しないようにシャッタ地板１の表面に出ないようにして粘着シートＡＤが貼付されている。また、枠体部１ｎには、図２及び図３からわかるように、開口部１ａに向いている面に粘着シートＡＤが貼付されているし、枠体部１ｎと開口部１ａとの間の被写体側の面にも粘着シートＡＤが貼付されている。
【００２３】
更に、背面側において、粘着シートＡＤは、羽根９〜１１や羽根１６〜１９に触れないようにして窪み１ｗ，１ｘの底面に貼付されているし、上記の傾斜面１ｕ，１ｖにも貼付されているし、壁部１ｔには、開口部１ａとは反対側の面にも貼付されている。また、図３だけでは粘着シートＡＤの貼付領域が明確ではないが、シャッタ地板１の背面側の一部（図３において壁部１ｔに繋がる左側の面と、図３の左右端の面）にも、後述する先羽根の作動領域ではないところに貼付されている。尚、図１及び図７においては、図面を見やすくするために、これらの粘着シートＡＤの図示を一部省略してある。
【００２４】
以上の説明で、シャッタ地板１自身と、主にシャッタ地板１の表面側に取り付けられる図示していない周知の部材の説明を終わり、以後は、シャッタ地板１の背面側に取り付けられる部材と、それらの取付け構成について説明するが、先ずは、その背面側の全体構成の概要を説明しておく。シャッタ地板１の背面側には、夫々、所定の間隔を置けて中間板４（図４（ｃ）参照）と補助地板５（図５参照）とが取り付けられ、シャッタ地板１と中間板４との間が先羽根（図４（ｂ）参照）の羽根室となり、中間板４と補助地板５との間が後羽根（図４（ｄ）参照）の羽根室となっている。また、中間板４と補助地板５にも、略中央部に開口部４ａ，５ａが形成されており、通常は、シャッタ地板１の開口部１ａをそれらと重ね合わせることによって、長方形を横長にした露光開口が合成されるようになっているが、本実施例の場合は、開口部１ａのみによって露光開口が規制されている。
【００２５】
そこで、先ず、図４（ｂ）に示された先羽根について説明する。本実施例の先羽根は、二つのアーム６，７と、それらの長さ方向に順に枢支された４枚の羽根８，９，１０，１１で構成され、最先端に枢支された羽根１１がスリット形成羽根となっている。そして、アーム６は、その左端部の孔を、シャッタ地板１の背面側に突き出た上記の軸１ｅに嵌合させて枢着され、長孔６ａには、上記した図示していない先羽根用駆動部材の駆動ピンが嵌合している。また、もう一つのアーム７は、やはり、その左端部の孔を、シャッタ地板１の軸１ｈに嵌合させて枢着されている。
【００２６】
アーム６，７に対する各羽根の枢支は、周知のように、リベット部品である連結軸を用いて行われる。そして、それらの枢支構成は全て同じである。そこで、図４（ｂ）においては、スリット形成羽根１１の枢支に用いられている連結軸に符号１２，１３を付けておいたので、全ての枢支構成を代表して、連結軸１２を用いた枢支構成について説明する。アーム６と羽根１１には予め孔が形成されている。そこで、それらの孔を合わせておき、連結軸１２をアーム６側から挿入して、その挿入端を羽根１１にかしめている。その場合、アーム６と連結軸１２とは固定されていない。従って、この先羽根の場合には、８個の連結軸の頭部は、全て、アーム６，７の面からシャッタ地板１側に突き出ていて、シャッタ地板１に対して摺動するようになっている。
【００２７】
次に、図４（ｃ）を用いて中間板４を説明する。上記したように、中間板４は、シャッタ地板１との間に先羽根の羽根室を形成しており、その略中央部には開口部４ａが形成されている。この開口部４ａは、シャッタ地板１の開口部１ａと異なる形状をしているが、その理由は周知であるため説明を省略する。そして、本実施例においては、その開口部４ａの左側の形成縁が、開口部１ａの左側の形成縁と略重なるように配置されている。また、この中間板４は、三つの孔４ｂ，４ｃ，４ｄをシャッタ地板１の軸１ｊ，１ｋ，１ｍに嵌合させて取り付けられているが、本実施例の場合には、中間板４は、明示していない手段によって、その嵌合部において軸１ｊ，１ｋ，１ｍの軸方向へ移動しないように取り付けられている。
【００２８】
中間板４の背面側には、図４（ｄ）に示すような後羽根が配置されている。この後羽根は、上記の先羽根を上下方向に裏返した構成をしていて、二つのアーム１４，１５と、それらの長さ方向に順に枢支された４枚の羽根１６，１７，１８，１９で構成され、最先端に枢支された羽根１９がスリット形成羽根となっている。そして、アーム１４は、その左端部の孔を、シャッタ地板１の背面側に突き出た上記の軸１ｆに嵌合させて枢着され、長孔１４ａには、上記した図示していない後羽根用駆動部材の駆動ピンが嵌合している。また、他方のアーム１５は、その左端部の孔を、シャッタ地板１の軸１ｉに嵌合させて枢着されている。
【００２９】
アーム１４，１５に対する各羽根１６，１７，１８，１９の枢支構成は、先羽根の場合と全く同じである。従って、この後羽根の場合には、アーム１４，１５が羽根１６，１７，１８，１９よりも補助地板５側に配置されているから、８個の連結軸の頭部は、全て、アーム１４，１５の面から補助地板５側に突き出ていて、補助地板５に対して摺動するようになっている。尚、この後羽根は、図１の状態においては、羽根１６，１７，１８，１９が重畳状態となって開口部１ａの下方位置に格納されているが、図４（ｄ）においては、構成を分かり易くするために、展開状態にして示してある。
【００３０】
図５には、中間板４と共に後羽根の羽根室を形成している補助地板５が示されている。この補助地板５は、合成樹脂製であって、略中央部に、既に説明した開口部５ａが形成されている。そして、この開口部５ａは、シャッタ地板１の開口部１ａよりも若干大きい形状をしているが、その左側の形成縁は、開口部１ａ，４ａの左側の形成縁と略重なるようにして配置されている。また、この開口部５ａの左側には、四つの孔が形成されているが、それらはシャッタ地板１に立設された四つの軸１ｅ，１ｆ，１ｈ，１ｉの先端部を受けいれるための孔である。更に、補助地板５の三隅には孔５ｂ，５ｃ，５ｄが形成されているが、これらの孔は補助地板５をシャッタ地板１の軸１ｊ，１ｋ，１ｍに取り付けるためのものであって、その具体的な取り付け方は後述する。
【００３１】
補助地板５には、その四方の外周に遮光壁５ｅ，５ｆ，５ｇ，５ｈが形成されているが、これらの遮光壁は、外周方向からの光が羽根室内に入るのを遮断するためのものである。また、補助地板５には、開口部５ａの左端縁に沿い且つ遮光壁５ｅ，５ｇまで延伸して壁部５ｉが形成されており、その壁部５ｉには、被写体側に向け且つ開口部１ａ側に向けて傾斜面５ｊが形成されているが、その壁部５ｉが形成されている開口部５ａの縁と対向している縁にも傾斜面５ｋが形成されている。
【００３２】
そして、補助地板５の表面側（羽根室側）には、開口部５ａの上方位置と下方位置に、夫々、三つずつの浅い窪み５ｍ，５ｎ，５ｐ，５ｑ，５ｒ，５ｓが形成され、遮光壁５ｅには緩衝部材２０，２１が取り付けられ、遮光壁５ｇには、緩衝部材２２，２３が取り付けられている。また、補助地板５の背面側には、図２，図３，図６から分かるように、開口部５ａを囲むようにして凹部５ｔが形成され、その周囲には四つの浅い窪み５ｕ，５ｖ，５ｗ，５ｘが形成されている。
【００３３】
このような形状をした補助地板５にも、シャッタ地板１と同様に機能上及び取扱上で問題とならない面に粘着シートＡＤが貼付されている。即ち、図５から分かるように、補助地板５の表面側に形成された窪み５ｍ，５ｎ，５ｐ，５ｑ，５ｒ，５ｓの底面には、補助地板５の表面にでないようにして粘着シートＡＤが貼付されている。また、粘着シートＡＤは、傾斜面５ｊ，５ｋにも貼付されており、傾斜面５ｊに繋がる遮光壁５ｅ，５ｇの内側の一部にも貼付されている。また、粘着シートＡＤは、壁部５ｉの開口部５ａとは反対側の面にも貼付されており、その面と繋がる遮光壁５ｅ，５ｇの内側の一部と、補助地板５の表面の一部にも貼付されている。更に、粘着シートＡＤは、遮光壁５ｆ，５ｈの内面と、それらに繋がる補助地板５の表面の一部にも貼付されている。そして、緩衝部材２２，２３の間に形成されている遮光壁５ｇの肉厚部にも、その上面に貼付されている。
【００３４】
また、このような粘着シートＡＤは、補助地板５の背面側にも貼付されている。即ち、図６から分かるように、補助地板５の背面側に形成された窪み５ｕ，５ｖ，５ｗ，５ｘの底面には、補助地板５の背面に出ないようにして粘着シートＡＤが貼付されている。また、凹部５ｔには、図２及び図３からも分かるように、開口部５ａに向けている面にも貼付されているし、その内側にある撮像素子側に向けた面にも貼付されている。尚、図１及び図７においては、図面を見やすくするために、このようにして、補助地板５に貼付されている粘着シートＡＤの一部を図示していない。
【００３５】
次に、この補助地板５の取付け方を説明するが、その取付け方法は従来から知られているものであるため簡単に説明する。即ち、シャッタ地板１の軸１ｊの先端面にはねじ孔が形成されていて、軸１ｋ，１ｍの先端部周囲には環状に溝が形成されている。そして、補助地板５の孔５ｃ，５ｄは鍵穴を横にした形状をしている。そこで、先ず、図５において孔５ｃ，５ｄの左側の大きな開口部を、軸１ｋ，１ｍに嵌合させ、次に、補助地板５を左側に移動させることによって、右側の小さな開口部の縁を、上記した環状の溝に入り込ませる。そして、この状態で、図６に示されたネジ２４を孔５ｂに通し、軸１ｊのねじ孔に螺合している。
【００３６】
本実施例においては、上記した各粘着シートＡＤは、複数枚重ねてられていて、例えば窪み１ｐに粘着シートＡＤが配置された様子が図８に示されている。図８（ａ）において、窪み１ｐには粘着シートＡＤ１と粘着シートＡＤ２とが、窪み１ｐの底部から表面側に向けて重ねられている。それらのうち、粘着シートＡＤ１は、シート状の基材ＡＤａの表面側および背面側に粘着性を有する粘着材ＡＤｂを有していて、さらに、背面側の面の粘着材ＡＤｂによって窪み１ｐの底部に貼付されていて、表面側の粘着材ＡＤｂによって後述する粘着シートＡＤ２を貼付している。しかし、粘着材ＡＤｂは、基材ＡＤａの全ての表裏面を覆っておらず、その端部の所定領域には、粘着材に覆われていない非粘着部ＡＤｃが形成されている。
【００３７】
また、粘着シートＡＤ２は、粘着材ＡＤｂがその基材ＡＤａの表面側のみしか覆っておらず、粘着材ＡＤｂに覆われていない背面側の基材ＡＤａの面が、上記した粘着シートＡＤ１の表面側の粘着材ＡＤｂで貼付されて重なっている。また、粘着シートＡＤ２にも粘着シートＡＤ１と同様に非粘着部ＡＤｃが形成されている。尚、上記したように、図８では、例えば窪み１ｐに複数枚の粘着シートを配置した状態で説明したが、上記した他の部材、部位における粘着シートＡＤも同様な構成になっていて、粘着材を各地板自体の外側に向けて重ねて配置されている。
【００３８】
また、本実施例のシャッタユニットは上記のように構成されているが、このシャッタはデジタルカメラ用のフォーカルプレンシャッタである。そのため、補助地板５の背面側には撮像素子が配置されるが、図２に示すように、本実施例の場合には撮像素子としてＣＣＤ２５が用いられ、その前面にローパスフィルタ２６が配置されている。そして、上記した補助地板５の凹部５ｔは、ローパスフィルタ２６を受け入れるためのものであり、このような構成にすることによって、カメラ内における光軸に沿った方向の省スペース化に寄与し、ひいてはカメラの薄型化に寄与するようになっている。尚、本実施例のおいては、ＣＣＤ２５とローパスフィルタ２６を別体としているが、それらを一体化する場合もあるし、ローパスフィルタ２６を配置しないものもある。従って、後者の場合には、凹部５ｔはＣＣＤ２５を受け入れることになる。
【００３９】
次に、本実施例の作動を説明する。図１は、シャッタのセット状態を示している。このとき、図示していない周知の先羽根用駆動部材と後羽根用駆動部材は、夫々の駆動ばねの付勢力に抗し、初期位置から回転させられた図示していないセット部材によって時計方向へ回転された状態にある。そのため、各々の駆動部材に設けられている駆動ピンが、先羽根のアーム６と後羽根のアーム１４を時計方向へ回転させた状態となっていて、先羽根の４枚の羽根８，９，１０，１１は展開状態となって開口部１ａを覆っており、後羽根の４枚の羽根１６，１７，１８，１９は重畳状態となって、開口部１ａの下方位置に格納されている。
【００４０】
このようなセット状態において、カメラのレリーズボタンが押されると、先ず、図示していない先羽根用電磁石と後羽根用電磁石に通電され、先羽根用駆動部材と後羽根用駆動部材が吸着保持されると、セット部材は初期位置へ復帰する。そして、次に、先羽根用電磁石に対する通電が断たれると、該電磁石による保持力が失われ、先羽根用駆動部材が先羽根用駆動ばねの付勢力によって反時計方向へ回転する。そのため、先羽根用駆動部材の駆動ピンが、アーム６を反時計方向へ回転させ、先羽根の４枚の羽根８，９，１０，１１を上方へ作動させていく。その結果、各羽根は相互の重なり量を大きくして行き、スリット形成羽根１１の下側の縁であるスリット形成縁によって、開口部１ａを開いていく。
【００４１】
そして、スリット形成羽根１１のスリット形成縁が、開口部１ａを全開にした段階で、先羽根用駆動部材の駆動ピンが緩衝部材２に当接し、アーム６が緩衝部材２０に当接し、羽根８〜１１の先端が緩衝部材２１に当接して、先羽根用駆動部材と先羽根の作動が停止する。このとき、二つの緩衝部材２０，２１は、一時的に圧縮させられるが、羽根８〜１１が、補助地板５の遮光壁５ｅに貼付された粘着シートＡＤに接触する程にまでは圧縮されない。そのため、図２から分かるように、遮光壁５ｅの内側には、かなりの面積に粘着シートＡＤを貼付することが可能である。
【００４２】
本実施例の場合は、このようにして行なわれる作動中に、アーム６，７の先端が開口部１ａの中を通過しないため、当然のことながら、連結軸１２，１３も開口部１ａの中を通過しない。そのため、連結軸１２，１３の頭部が、開口部１ａの縁の端面に当接したり、その近傍位置においてシャッタ地板１の羽根室側の面に当接したりすることがないので、それが原因となって比較的大きな磨耗粉を比較的多く発生させてしまうようなことはない。しかしながら、この作動中において、アーム６，７と八つの連結軸との間、及び八つの連結軸の頭部とシャッタ地板１の羽根室側の面との間では、比較的大きな磨耗粉を発生させてしまうことがある。
【００４３】
また、羽根同志や、羽根とシャッタ地板１の間や、羽根と中間板４との間では、比較的大きな磨耗粉が発生せず且つ比較的多くの磨耗粉が発生しないとはいえ、全く発生しないというわけではない。更に、羽根室内又はシャッタの外側近傍には、前回の撮影までに発生した磨耗粉が滞留していたり、シャッタ機構以外で発生した磨耗粉やカメラ内に進入した埃などが滞留している。そのため、上記のような先羽根の作動中には、その作動によって発生した磨耗粉や、滞留していた磨耗粉と埃が空中に舞い上がることになる。
【００４４】
ところが、本実施例の場合には、図１において壁部１ｔの左側で舞い上がった磨耗粉や埃は、壁部１ｔに遮られて開口部１ａ側には余り進出せず、その作動終了後には、それらの殆どが先羽根の羽根室内に貼付された粘着シートＡＤやその他の部材に付着する。そして、粘着シートＡＤに付着したものは、再度舞い上がらないようになる。
【００４５】
また、図１において壁部１ｔの右側で舞い上がる磨耗粉や埃は、左側で舞い上がるものに比較して少ないが、それらも、傾斜面１ｕ，１ｖや先羽根の羽根室内に貼付された粘着シートＡＤなどに付着するし、可能性としては少ないが、後羽根の羽根室内に侵入したものは、後羽根の羽根室内の粘着シートＡＤなどに付着する。更に、各羽根室外で舞い上がったものは、シャッタ地板１と補助地板５の外側に貼付された粘着シートＡＤなどに付着して、カメラの姿勢やシャッタ作動時の振動や衝撃によっても再度飛散しずらくなっている。従って、ローパスフィルタ２６に向かうものは極めて少なくなり、且つ傾斜面５ｊ，５ｋに貼付した粘着シートＡＤに付着してしまうものもある。
【００４６】
それらの場合、粘着シートＡＤ２の表面側に晒されている粘着材ＡＤｂは、上記の磨耗粉や埃の付着により粘着力が低下してくため、これを踏まえて、本実施例では、上記のように１枚ではなく２枚の粘着シートＡＤ１，ＡＤ２を重ねて配置している。そして粘着力が低下した場合には、粘着シートＡＤを貼り直すのではなく、図８（ｂ）に示されているように、最上位（地板に重層して貼付された複数枚の粘着シートにおいて、地板自体から最も離れた）の粘着シートＡＤ２を剥がすだけで、その下の粘着シートＡＤ１の新規の粘着材が露出し、粘着力を復元させることができるようになっている。その場合、非粘着部ＡＤｃを、例えばピンセットで摘むことができるので、粘着シートＡＤ２が貼付されている粘着シートＡＤ１から、粘着シートＡＤ２を剥がし易くなり作業が容易に行えるようになる。
【００４７】
上記のように、先羽根用電磁石に対する通電が断たれてから所定時間が経過すると、今度は、後羽根用電磁石に対する通電が断たれる。このようにして後羽根用電磁石に対する通電が断たれるタイミングは、撮影条件によって様々であり、実際には、先羽根の露光作動が終了する前に断たれる場合が多い。しかしながら、本実施例の作動説明においては、説明の都合上、上記のように、先羽根の露光作動が終了した後に通電が断たれた場合で説明する。
【００４８】
後羽根用電磁石に対する通電が断たれると、後羽根用駆動部材は、後羽根用駆動ばねの付勢力によって反時計方向へ回転させられる。そのため、後羽根用駆動部材の駆動ピンが、アーム１４を反時計方向へ回転させ、後羽根の４枚の羽根１６，１７，１８，１９を上方へ作動させていくので、各羽根は相互の重なり量を小さくして行き、スリット形成羽根１９の上側の縁であるスリット形成縁によって、開口部１ａを閉じていく。そして、スリット形成羽根１９のスリット形成縁が、開口部１ａを閉鎖した段階で、後羽根用駆動部材の駆動ピンが緩衝部材３に当接し、後羽根用駆動部材と後羽根の作動が停止する。その停止状態が図６及び図７に示されている。
【００４９】
このような後羽根の露光作動中において、アーム１４，１５の作動は補助地板５に形成された壁部５ｉの左側で行なわれる。従って、アーム１４，１５の先端が開口部５ａの中を通過しない以上、当然のことながら、スリット形成羽根１９の枢支構成に用いられている二つの連結軸も開口部５ａの中を通過しない。そのため、それらの連結軸の頭部が、開口部５ａの縁の端面に当接したり、その近傍位置において補助地板５の羽根室側の面に当接したりすることがなく、従来のように、そのような当接によって磨耗粉を発生させてしまうことがない。
【００５０】
しかしながら、上記した先羽根の作動における場合と同様に、程度の差こそあれ、磨耗粉や埃は舞い上がる。即ち、この作動中において、アーム１４，１５と八つの連結軸との間、及び八つの連結軸の頭部と補助地板５の羽根室側の面との間で、比較的多くの磨耗粉を発生させるが、そのようにして発生した磨耗粉が、それ以前から、粘着シートが貼付されていない部材面に付着していた磨耗粉や埃と共に舞い上がることになるが、それらの殆どは壁部５ｉによって開口部５ａに進行するのを阻止され、その作動終了後には、後羽根の羽根室内に貼付された粘着シートＡＤやその他の部材面に付着する。そして、粘着シートＡＤに付着したものは、再度舞い上がらないようになる。
【００５１】
また、図１において壁部５ｉの右側で舞い上がる磨耗粉や埃は、左側で舞い上がるものに比較して少ないが、それらも、後羽根の羽根室内に貼付された粘着シートＡＤなどに付着するし、先羽根の羽根室内に侵入したものは、傾斜面１ｕ，１ｖや先羽根の羽根室内の粘着シートＡＤなどに付着する。更に、各羽根室外で舞い上がったものは、シャッタ地板１と補助地板５の外側に貼付された粘着シートＡＤなどに付着するし、ローパスフィルタ２６に向かったものの一部は、傾斜面５ｊ，５ｋに貼付した粘着シートＡＤに付着する。従って、ローパスフィルタ２６に飛来するものは極めて少なくなる。
【００５２】
上記のことからも分かるように、壁部１ｔ，５ｉは、磨耗粉などをローパスフィルタ２６の方へ進行させないようにするためのものであるから、本来であれば、開口部１ａ，５ａの縁の長さだけ形成すれば足りることになる。しかし、本実施例の場合には、その両端を回り込むものをも阻止できるようにするために、地板１，５の上下端まで延伸させている。
【００５３】
また、本実施例の壁部１ｔ，５ｉの高さ（羽根室側に突き出している寸法）は一律となっている。そして、各壁部１ｔ，５ｉの先端と中間板４との間の間隔は、先羽根及び後羽根の４枚の羽根を重畳状態にしたときの寸法を考慮して決められている。しかしながら、上記の間隔は、先羽根や後羽根が展開状態にあるときには、おおよそ２枚の羽根の厚さ分だけあればよいことになる。従って、そのように隙間を一律にせず、壁部１ｔ，５ｉの高さが徐々に変わるようにすれば、磨耗粉や埃の遮断効果が一層向上することになる。但し、本発明は、壁部１ｔ，５ｉを、そのような形状にすることに限定されず、また、壁部１ｔ，５ｉを設けることを必須とするものでもない。しかし、仮に一方の壁部だけを設けるとしたら、ローパスフィルタ２６に近い補助地板５の壁部５ｉであることは言うまでもない。
【００５４】
次に、シャッタのセット作動を説明する。図７の状態において、図示していないセット部材が回転を開始すると、先ず、先羽根用駆動部材を、先羽根用駆動ばねの付勢力に抗して時計方向へ回転させる。それによって、先羽根用駆動部材の駆動ピンがアーム６を時計方向へ回転させるので、先羽根の４枚の羽根８，９，１０，１１は、相互の重なり量を小さくしつつ下方へ作動されていく。そして、先羽根のスリット形成羽根１１と後羽根のスリット形成羽根１９との重なり量が所定量に達した段階で、セット部材が後羽根用駆動部材を、後羽根用駆動ばねの付勢力に抗して時計方向へ回転させ始める。そのため、後羽根用駆動部材の駆動ピンがアーム１４を時計方向へ回転させるので、後羽根の４枚の羽根１６，１７，１８，１９は、相互の重なり量を大きくしつつ下方へ作動させられる。
【００５５】
このようにして、先羽根と後羽根はセット作動をさせられていくが、このようなセット作動は、実際には急速に行われる。そのため、先羽根の羽根８，９，１０，１１が展開状態となって開口部１ａを覆った直後に、図示していないセット部材の回転は停止するが、先羽根と後羽根の各枢支部には公差が設けられているため、各々の羽根は、それらの枢支部を支点にして、慣性によって時計方向へ若干回転させられる。従って、このとき、後羽根の４枚の羽根１６，１７，１８，１９は重畳状態となって緩衝部材２３，２４に当接し、その後、若干戻って図１に示された状態で静止する。
【００５６】
このように、本実施例によれば、先羽根や後羽根の作動に影響を与えないようにして羽根室内の面に貼付した粘着シートＡＤが、各羽根室内で舞い上がる磨耗粉や埃を付着してしまうので、壁部１ｔ，５ｉの存在と相俟って、開口部１ａ，５ａ側へ進行する量が非常に少なくなる。また、開口部１ａ，５ａ側へ飛び出した磨耗粉や埃の中にも、傾斜面１ｕ，１ｖ，５ｊ，５ｋに貼付された粘着シートＡＤに付着してしまうものがあるため、ローパスフィルタ２６に飛来する量は極めて制限されたものとなる。更に、シャッタの外部に飛び出したものや、最初から外部にあるものは、それらの一部が、シャッタ地板１と補助地板５の外側の面に貼付された粘着シートＡＤに付着するので、その後、ローパスフィルタ２６に飛来する量が制限されることになる。
【００５７】
尚、本実施例においては、各粘着シートを、基材と粘着材との異なる部材で構成するようにしたが、本来は、各粘着シートが粘着力を有していることを要求されるものであるため、そのようにするのではなく、基材に粘着剤をしみ込ませたり、また、基材を用いずに粘着材自体で、粘着シートを構成するようにしても差し支えない。また、本実施例においては、各部材の各部位毎の小領域を覆うようにして粘着シートＡＤを貼付するようにしたが、そのようにするのではなく、連続した領域を纏めた大きさのものを貼付するようにしても差し支えない。さらに、粘着シートＡＤ２の背面側には、粘着シートＡＤ１の粘着材の粘着力が低下しない加工、材質とする等してなお剥がすことを考慮することもできる。これらのことは、上記の各粘着シートＡＤに適用できることは言うまでもない。
【００５８】
また、本実施例においては、シャッタ地板と補助地板の両方に粘着シートＡＤを貼付する場合で説明したが、それらのうち、一方の地板にだけに貼付するようにしても差し支えない。また、本実施例は、デジタルカメラに用いる場合で説明したが、本発明は、フィルム使用のカメラにも適用できるし、また、デジタルカメラに用いる場合であっても、シャッタ羽根を一つ（一組）にし、シャッタ地板と補助地板とで一つの羽根室を形成したシャッタにしても差し支えない。また、本実施例においては、各シャッタ羽根が４枚の羽根を有しているが、その枚数には限定されず、１枚であっても５枚であっても差し支えない。
【００５９】
【発明の効果】
以上のように、本発明は、シャッタ地板と補助地板の少なくとも一方に、シャッタ羽根の作動に影響を与えないようにして、複数枚の粘着シートを重ねて設けたことにより、シャッタ羽根の作動中に発生した磨耗粉や、それまでに既に発生していた磨耗粉や埃を好適に付着させて再度舞い上がらせなくすると共に、粘着シートの付着力が低下した場合、地板自体の最も外側の粘着シートから順次剥がすことによって、新規の粘着材を有する粘着シートが露出するようにしたので、長期間にわたり、撮像面に飛来して付着する磨耗粉や埃を極端に少なくすることが可能となる。
【図面の簡単な説明】
【図１】被写体側、即ち撮影レンズ側から視た実施例の透視図であって、露光作動開始直前の状態を示したものである。
【図２】図１のＡ−Ａ線断面図である。
【図３】図１のＢ−Ｂ線断面図であって、先羽根及び後羽根は概略的に示してある。
【図４】図１に示されている主要な構成ブロックのうち、補助地板を除く各ブロックを個別に示した平面図であって、図４（ａ）はシャッタ地板を、図４（ｂ）は先羽根を、図４（ｃ）は中間板を、図４（ｄ）は後羽根を示したものである。
【図５】実施例に採用されている補助地板を被写体側から視た平面図である。
【図６】撮像素子側から視た実施例の平面図であって、後羽根は露光作動終了直後の状態で示してある。
【図７】図１と同じようにして視た実施例の透視図であって、露光作動終了直後の状態を示したものである。
【図８】図８（ａ）は窪み１ｐに重層して配置した粘着シートを示した断面図であり、図８（ｂ）は図８（ａ）の状態から最も表面側の粘着シートを剥がしている途中の状態を示した断面図である。
【符号の説明】
１                                  シャッタ地板
１ａ，４ａ，５ａ                    開口部
１ｂ，１ｃ，１ｄ，６ａ，１４ａ      長孔
１ｅ，１ｆ，１ｇ，１ｈ，１ｉ，１ｊ，１ｋ，１ｍ    軸
１ｎ                                枠体部
１ｐ，１ｑ，１ｒ，１ｓ，１ｗ，１ｘ，５ｍ，５ｎ，５ｐ，５ｑ，５ｒ，５ｓ，５ｕ，５ｖ，５ｗ，５ｘ    窪み
１ｔ，５ｉ                          壁部
１ｕ，１ｖ，５ｊ，５ｋ              傾斜面
２，３，２０，２１，２２，２３      緩衝部材
４                                  中間板
４ｂ，４ｃ，４ｄ，５ｂ，５ｃ，５ｄ  孔
５                                  補助地板
５ｅ，５ｆ，５ｇ，５ｈ              遮光壁
５ｔ                                凹部
６，７，１４，１５                  アーム
８，９，１０，１１，１６，１７，１８，１９    羽根
１２，１３                          連結軸
２４                                ネジ
２５                                ＣＣＤ
２６                                ローパスフィルタ
ＡＤ，ＡＤ１，ＡＤ２                粘着シート
ＡＤａ                              基材
ＡＤｂ                              粘着材
ＡＤｃ                              非粘着部
【図１】
2004163449.tif 000003
【図２】
2004163449.tif 000004
【図３】
2004163449.tif 000005
【図４】
2004163449.tif 000006
【図５】
2004163449.tif 000007
【図６】
2004163449.tif 000008
【図７】
2004163449.tif 000009
【図８】
2004163449.tif 000010